(57)【要約】  本発明の目的は、高アンテナ相関環境や狭帯域な干渉信号が混入する環境において、シンボル単位で誤り訂正符号化処理を施す送信装置を持つ無線システムでも適切な変調方式及び符号化率を選択して伝送レートを改善することである。  本発明の無線通信システムは、送信装置と受信装置を有する無線通信システムであって、送信装置は複数の符号化部と変調部とＲＦ部と送信アンテナを備え、受信装置は複数の受信アンテナとＲＦ部と、復調部と復号部と相互情報量算出部とマージン算出部を備え、復調部は受信信号から送信信号に対する各レプリカ候補点のユークリッド二乗距離を算出し、相互情報量算出部はレプリカ候補点に対するユークリッド二乗距離に対して平均相互情報量を算出し、マージン算出部は平均相互情報量と所要ビット誤り率を満たす復調部出力相互情報量もしくは復号部入力相互情報量から伝送マージンを算出することを特徴とする。
2017090119.tif 000002
【特許請求の範囲】
【請求項１】
送信装置と受信装置を有する無線通信システムであって、
前記送信装置は、複数の符号化部と変調部とＲＦ部と送信アンテナを備え、
前記受信装置は、複数の受信アンテナとＲＦ部と、復調部と復号部と相互情報量算出部とマージン算出部を備え、
前記復調部は、受信信号から送信信号に対する各レプリカ候補点のユークリッド二乗距離を算出し、
前記相互情報量算出部は、前記レプリカ候補点に対するユークリッド二乗距離に対して平均相互情報量を算出し、
前記マージン算出部は、平均相互情報量と所要ビット誤り率を満たす復調部出力相互情報量もしくは復号部入力相互情報量から伝送マージンを算出することを特徴とする無線通信システム。
【請求項２】
複数の受信アンテナとＲＦ部と、復調部と復号部と相互情報量算出部とマージン算出部を備える受信装置であって、
前記復調部は、受信信号から送信信号に対する各レプリカ候補点のユークリッド二乗距離を算出し、
前記相互情報量算出部は、前記レプリカ候補点に対するユークリッド二乗距離に対して平均相互情報量を算出し、
前記マージン算出部は、平均相互情報量と所要ビット誤り率を満たす復調部出力相互情報量もしくは復号部入力相互情報量から伝送マージンを算出することを特徴とする受信装置。
【請求項３】
請求項２に記載の受信装置であって、
前記復調部の前段又は後段の少なくとも一方に配置される干渉検出部と消失訂正部を有し、
前記干渉検出部は、前記復調部前段に配置された場合には受信信号から干渉成分を検出し、前記復調部後段に配置された場合には前記復調部から出力されるユークリッド二乗距離に対する干渉成分を検出し、
前記消失訂正部は、前記復調部前段に配置された場合には、前記復調部に入力される受信信号に対して前記干渉検出部により得られた干渉の検出結果に基づいて当該受信信号への消失訂正処理を行い、
前記消失訂正処理部は、前記復調部後段に配置された場合には前記復調部から出力されるユークリッド二乗距離に対して、前記干渉検出部により得られた干渉の検出結果に基づいて、前記ユークリッド二乗距離への消失訂正処理を行い、
前記相互情報量算出部は、前記消失訂正処理部の消失訂正処理後のユークリッド二乗距離に対して平均相互情報量を算出し、
前記マージン算出部は、前記平均相互情報量算出部により得られた平均相互情報量と所要ビット誤り率を満たす復調部出力相互情報量もしくは復号部入力相互情報量から伝送マージンを算出することを特徴とする受信装置。
【発明の詳細な説明】
【技術分野】
【０００１】
本発明は、無線伝送システム及び受信装置に関するものである。
【背景技術】
【０００２】
デジタル伝送では、伝送品質が劣化すると通信の切断が発生するため、伝送品質の劣化は避けることが望ましい。伝送品質の指標としてビット誤り率があり、システム毎に要求されるビット誤り率は異なる。例えば、ＦＰＵ（Field  Pickup  Unit）と呼ばれるテレビジョン放送番組素材をデジタル伝送する無線中継伝送装置では、内符号復号後のビット誤り率が１×１０−４以下であれば、後続する外符号により、エラーフリーにまで誤り訂正することが可能である（例えば、非特許文献１参照。）。
このＦＰＵシステムを用いた移動伝送では、伝送路の状態に応じて上記のビット誤り率は時々刻々と変動する。そのため、安定した伝送を行うために所要ビット誤り率に対して、どの程度の伝送マージンがあるか把握する必要がある。【０００３】
従来、伝送マージンを算出する方法として、受信側で計測した受信電力、受信ＣＮＲ（Carrier  to  Noise  power  Ratio：搬送波電力対雑音電力比）、ＭＥＲ（Modulation  Error  Ratio：変調誤差比）等と計算機シミュレーションや実測等により得られた事前の検証結果からマージンを算出している。【０００４】
所要ビット誤り率を満たす受信電力や受信ＣＮＲは、伝送路特性や干渉の影響に応じて変化するため、伝送路ごとのマージンを記憶したテーブルを予め用意し、伝送路に合わせてマージンを設定するのが望ましいが、現実的ではない。そのため、予め決められた伝送路モデルでの計算機シミュレーションによるシミュレーション結果や伝送路の実測値に基づき、伝送マージンを設定するのが一般的である。【０００５】
また、伝送路の品質に応じて、適応的に変調方式や符号化方式を制御することで無線装置の伝送レートの最適化を行う無線技術として、ＡＭＣ（Adaptive  Modulation  Coding：適応変調符号化）が知られており、ＨＳＤＰＡ（High  Speed  Downlink  Packet  Access）やＬＴＥ（Long  Term  Evolution）等で採用されている。
ＡＭＣは、一般に受信装置で得られた伝送路の情報に基づき、システムの所要ビット誤り率を満たしつつ伝送レートを最大化するＭＣＳ（Modulation  and  Coding  Set）を選択する。システムの所要ビット誤り率を満たすかどうかの判定には、伝送路の品質の指標として受信ＣＮＲ等が用いられる。最適なＭＣＳを選択するための受信ＣＮＲの閾値は、計算機シミュレーションや実測値等に基づき、事前に得られる各ＭＣＳでのビット誤り率特性より設定する。【０００６】
先行技術文献としては、例えば、特許文献１に、雑音電力推定値や干渉電力推定値を考慮してシンボル尤度を算出し、より正確に送信シンボルを復調する発明が開示されている。
【先行技術文献】
【特許文献】
【０００７】
【特許文献１】特開２０１０−１８３１７７号公報
【非特許文献】
【０００８】
【非特許文献１】ＡＲＩＢ  ＳＴＤ−Ｂ５７  ２．０版、「１．２ＧＨｚ／２．３ＧＨｚ帯テレビジョン放送番組素材伝送用可搬形ＯＦＤＭ方式デジタル無線伝送システム」、一般社団法人電波産業会
【非特許文献２】地上伝送路特性を考慮した誤り制御、映像情報メディア学会年次大会（１９９８）
【非特許文献３】Ｂｒａｎｋａ Ｖｕｃｅｔｉｃ、Ｊｉｎｈｏｎｇ  Ｙｕａ著「Ｓｐａｃｅ−Ｔｉｍｅ  Ｃｏｄｉｎｇ」、Ｗｉｌｅｙ
【発明の概要】
【発明が解決しようとする課題】
【０００９】
例えば、送信装置と受信装置共に複数アンテナを用いて伝送するＭＩＭＯ（Multiple  Input  Multiple  Output）伝送システムにおいて、アンテナ相関が高い環境では、受信信号の分離検出が困難となるため伝送品質が劣化することが知られている。そのため、従来の伝送路品質の指標である受信電力、受信ＣＮＲなどから伝送マージンを設定した場合、上記の高アンテナ相関環境では、高い受信ＣＮＲで伝送マージンがあるにも関わらず、ビット誤り率が劣化してしまうという問題が生じる。
また、アマチュア無線等の狭帯域な干渉信号が混入する伝送路において、消失訂正処理前の受信ＣＮＲなどを用いた場合、受信ＣＮＲが十分であると誤認識し、誤った伝送マージンを設定することに繋がる。
上記で挙げた環境において、例えば、受信装置で得られた受信ＣＮＲをフィードバック情報として送信装置に対して送信し、受信ＣＮＲに基づいてＡＭＣを制御する無線装置では、最適なＭＣＳを誤認識してしまうという問題が生じる。【００１０】
一般的には、受信装置の復調部でビット単位の尤度情報を算出し、そのビット尤度情報より誤り訂正復号処理を施す。しかし、例えば、１６ＱＡＭ（Quadrature  Amplitude  Modulation）等のシンボル単位で誤り訂正符号化処理を施す送信装置を持つ無線システムでは、受信装置においてシンボル単位で復号処理を行う必要があるため、ビット単位の尤度情報を得ることができないという課題がある。例えば、シンボル単位で誤り訂正符号化を施す方式として、時空間トレリス符号化（ＳＴＴＣ：Space  Time  Trellis  Coding）等が挙げられる。
本発明の目的は、高アンテナ相関環境や狭帯域な干渉信号が混入する環境において、シンボル単位で誤り訂正符号化処理を施す送信装置を持つ無線システムでも適切な変調方式及び符号化率を選択して伝送レートを改善することである。
【課題を解決するための手段】
【００１１】
本発明の無線通信システムは、送信装置と受信装置を有する無線通信システムであって、送信装置は複数の符号化部と変調部とＲＦ部と送信アンテナを備え、受信装置は複数の受信アンテナとＲＦ部と、復調部と復号部と相互情報量算出部とマージン算出部を備え、復調部は受信信号から送信信号に対する各レプリカ候補点のユークリッド二乗距離を算出し、相互情報量算出部はレプリカ候補点に対するユークリッド二乗距離に対して平均相互情報量を算出し、マージン算出部は平均相互情報量と所要ビット誤り率を満たす復調部出力相互情報量もしくは復号部入力相互情報量から伝送マージンを算出することを特徴とする。【００１２】
また、本発明の受信装置は、複数の受信アンテナとＲＦ部と、復調部と復号部と相互情報量算出部とマージン算出部を備える受信装置であって、復調部は受信信号から送信信号に対する各レプリカ候補点のユークリッド二乗距離を算出し、相互情報量算出部はレプリカ候補点に対するユークリッド二乗距離に対して平均相互情報量を算出し、マージン算出部は平均相互情報量と所要ビット誤り率を満たす復調部出力相互情報量もしくは復号部入力相互情報量から伝送マージンを算出することを特徴とする。【００１３】
さらに、本発明の受信装置は、上述の受信装置であって、復調部の前段又は後段の少なくとも一方に配置される干渉検出部と消失訂正部を有し、干渉検出部は復調部前段に配置された場合には受信信号から干渉成分を検出し、復調部後段に配置された場合には復調部から出力されるユークリッド二乗距離に対する干渉成分を検出し、消失訂正部は復調部前段に配置された場合には復調部に入力される受信信号に対して干渉検出部により得られた干渉の検出結果に基づいて当該受信信号への消失訂正処理を行い、消失訂正処理部は復調部後段に配置された場合には復調部から出力されるユークリッド二乗距離に対して干渉検出部により得られた干渉の検出結果に基づいてユークリッド二乗距離への消失訂正処理を行い、相互情報量算出部は消失訂正処理部の消失訂正処理後のユークリッド二乗距離に対して平均相互情報量を算出し、マージン算出部は平均相互情報量算出部により得られた平均相互情報量と所要ビット誤り率を満たす復調部出力相互情報量もしくは復号部入力相互情報量から伝送マージンを算出することが好ましい。
【発明の効果】
【００１４】
本発明によれば、高アンテナ相関環境や狭帯域な干渉信号が混入する環境において、シンボル単位で誤り訂正符号化処理を施す送信装置を持つ無線通信システムでも適切な変調方式及び符号化率を選択して伝送レートを改善することができる。
【図面の簡単な説明】
【００１５】
【図１】本発明の一実施形態に係る無線通信システムにおける送信装置構成の一例を示す第一のブロック図である。
【図２】本発明の一実施形態に係る無線通信システムにおける受信装置構成の一例を示す第一のブロック図である。
【図３】本発明の一実施形態に係る無線通信システムにおける受信装置構成の一例を示す第二のブロック図である。
【図４】本発明の一実施形態に係る無線通信システムにおける送信装置構成の一例を示す第二のブロック図である。
【図５】本発明の一実施形態に係る無線通信システムにおける受信装置構成の一例を示す第三のブロック図である。
【図６】図２における変調方式１６ＱＡＭでの復号部入力相互情報量に対するビット誤り率特性からの伝送マージン算出例を説明するための図である。
【図７】図２における各変調方式での復号部入力相互情報量に対するビット誤り率特性からの伝送マージン算出例を説明するための図である。
【発明を実施するための形態】
【００１６】
以下、本発明の実施形態について図面を参照して詳細に説明する。（実施例１）   第一の実施例は、標準規格番号ＳＴＤ−Ｂ５７で規定されるＭＩＭＯ−ＯＦＤＭ（Orthogonal  Frequency  Division  Multiplexing：直交周波数分割多重方式）方式デジタル伝送システムのＦＰＵ（以下、ＭＩＭＯ−ＦＰＵ）を想定しており、送信装置と受信装置共に２本の受信アンテナを有するＭＩＭＯ伝送システムを特徴とする。
【００１７】
実施例１の無線通信システムの構成について、図１と図２を用いて説明する。図１は本発明の一実施形態に係る無線通信システムにおける送信装置の構成の一例を示す第一のブロック図である。
ＭＩＭＯ−ＦＰＵ送信装置は、誤り訂正符号にＳＴＴＣを用いているため、２個のＳＴＴＣ符号化部１００−１，１００−２と、２個の変調部１０１−１，１０１−２と、２個のＲＦ（Radio  Frequency：無線）部１０２−１，１０２−２と２本の送信アンテナ１０３−１，１０３−２を備える。本一実施例の送信装置において、添え字の１と２はそれぞれ送信系統１と送信系統２であることを示している。
【００１８】
送信対象となる情報ビット列は、ＳＴＴＣ符号化部１００−１，１００−２の両方に入力される。ＳＴＴＣ符号化部１００−１，１００−２では入力された情報ビット列に対して、それぞれ系統毎に異なるＳＴＴＣ符号化処理を施して符号化ビットを出力し、変調部１０１−１，１０１−２では入力された符号化ビットに対して、変調処理を施して変調信号を出力し、ＲＦ部１０２−１，１０２−２ではベースバンド信号を搬送波数周波数帯にアップコンバートして、送信アンテナ１０３−１，１０３−２より無線信号を送信する。
なお、本一実施例では、送信アンテナが２本であるが、１本、あるいは３本以上でも基本的動作は同じである。
【００１９】
図２は本発明の一実施形態に係る無線通信システムにおける受信装置の構成の一例を示す第一のブロック図である。
ＭＩＭＯ−ＦＰＵ受信装置は、２本の受信アンテナ１０４−１，１０４−２と、２個のＲＦ部１０５−１，１０５−２と、復調部１０６と、復号部１０７を備え、更に、相互情報量算出部１０８と、マージン算出部１０９を備えている。
【００２０】
受信アンテナ１０４−１，１０４−２は送信装置から送信された無線信号を受信し、ＲＦ部１０５−１，１０５−２はそれぞれ受信アンテナ１０４−１，１０４−２で受信した搬送波周波数帯の受信信号からベースバンド信号にダウンコンバートし、復調部１０６にそれぞれ受信信号を出力する。本一実施例において、添え字の１と２はそれぞれ受信系統１と受信系統２であることを示している。
なお、本一実施例では、受信アンテナが２本であるが、１本、あるいは３本以上でも基本的動作は同じである。
【００２１】
復調部１０６では、得られた受信信号ベクトルｒ＝［ｒ１  ｒ２  ・・・ｒＮ］ＴとＮｒ×Ｎｔチャネル行列Ｈの推定結果Ｈ^を用いて復調処理を行う。［  ］Ｔは転置を示している。受信信号ベクトルｒとレプリカ（チャネル推定結果から算出した理想受信点）候補点Ｈ^ｓｊとのユークリッド二乗距離Ｌｊ＝｜｜ｒ−Ｈ^ｓｊ｜｜２を算出する。ここで、ｓ＝［ｓ１  ｓ２  ・・・ｓＮｔ］Ｔは送信信号ベクトルを示し、添え字のｊはレプリカ候補点のインデックスを示している。レプリカ候補点数Ｊは変調多値数をＭ、送信アンテナ数をＮｔとした時、Ｊ＝ＭＮｔで与えられる。従って、本実施例はＮｔ＝２であるので、Ｊ＝Ｍ２となる。得られたユークリッド二乗距離Ｌｊを復号部１０７及び相互情報量算出部１０８へ出力する。
【００２２】
復号部１０７では入力されたユークリッド二乗距離Ｌｊに対して、例えば、ユークリッド二乗距離Ｌｊをパスメトリックとしてビタビアルゴリズムを用いて復号処理を行い、復号結果を出力する。このＳＴＴＣ方式の復号処理については、例えば，非特許文献３による。
【００２３】
相互情報量算出部１０８は入力されたユークリッド二乗距離Ｌｊに基づき、相互情報量を算出する。本発明は、この相互情報量から伝送マージンを算出することにより、様々な伝送路環境であっても適切な伝送マージンを算出できる装置を提供することを特徴とする。以下、Ｌｊから相互情報量を算出する過程を示し、算出した相互情報量からマージンを算出する方法を説明する。
【００２４】
相互情報量Ｉ（Ｘ；Ｙ）とは、事象Ｙの値を知ることにより、確率変数Ｘに関する情報が事象Ｙにどれだけ含まれているかを定量的に示し、数式１で与えられる。
【数１】
2017090119.tif 000003
ここで、Ｈ（Ｘ）は相互情報量における事前エントロピー、Ｈ（Ｘ｜Ｙ）は事後エントロピーと呼ばれる。
【００２５】
確率変数Ｘにおける事前エントロピーＨ（Ｘ）は数式２で与えられる。
【数２】
2017090119.tif 000004
ここで、Ｐ（Ｘ＝ｓｊ）は確率変数Ｘがｊ番目の送信信号ベクトル候補点ｓｊとなる確率を表す。確率変数Ｘを送信装置での送信信号ベクトルｓ（ｎ）（添え字のｎは変調後のシンボル系列のインデックスを示す）とすると、送信信号ベクトルｓ（ｎ）にはｊ通りの組み合わせがあるため、Ｐ（ｓ（ｎ）＝ｓｊ）の生起確率は等確率１/Ｊと仮定すると、数式２は数式３となる。
【数３】
2017090119.tif 000005
【００２６】
本実施例で用いるＳＴＴＣ符号化では、シンボル単位で復号処理を施すためシンボル単位で尤度を算出する必要がある。従って、確率変数Ｙは受信信号ベクトルｒ（ｎ）を用いる必要があり、事後エントロピーＨ（Ｘ｜Ｙ）＝Ｈ（ｓ（ｎ）｜ｒ（ｎ））は数式４で与えられる。
【数４】
2017090119.tif 000006
【００２７】
従って、事後エントロピーＨ（ｓ（ｎ）｜ｒ（ｎ））を算出するには、Ｐ（ｓ（ｎ）＝ｓｊ｜ｒ（ｎ））を算出する必要がある。この時の制約条件として、以下の条件を満たす必要がある。
【数５】
2017090119.tif 000007
【００２８】
数式５は、各レプリカ候補点ｊでの条件付き確率Ｐ（ｓ（ｎ）＝ｓｊ｜ｒ（ｎ））の総和が“１”であることを示している。ベイズの定理より、Ｐ（ｓ（ｎ）＝ｓｊ｜ｒ（ｎ））は以下の数式６に変形できる。
【数６】
2017090119.tif 000008
【００２９】
受信信号ベクトルの生じる確率Ｐ（ｒ（ｎ））はレプリカ候補点に依存せず一定である。また、事前確率Ｐ（ｓ（ｎ）＝ｓｊ）に関する情報を受信装置で所有していなく、全てのレプリカ候補点で等しいとした時、Ｐ（ｓ（ｎ）＝ｓｊ｜ｒ（ｎ））はＰ（ｒ（ｎ）｜ｓ（ｎ）＝ｓｊ）のみに依存する。
【００３０】
受信信号ベクトルｒ（ｎ）に混入している雑音の分布がガウス分布であると仮定すると、レプリカ候補点ｓｊが送信された時に受信信号ベクトルがｒ（ｎ）である確率Ｐ（ｒ（ｎ）｜ｓ（ｎ）＝ｓｊ）は以下の数式７で与えられる。
【数７】
2017090119.tif 000009
【００３１】
ここで、σ２は複素平面の雑音電力を示しており、各受信系統での雑音電力は等しいと仮定する。レプリカ候補点ｊでのユークリッド二乗距離をＬｊ＝｜｜ｒ（ｎ）−Ｈ^ｓｊ｜｜２と置くと、Ｐ（ｒ（ｎ）｜ｓ（ｎ）＝ｓｊ）はユークリッド二乗距離Ｌｊにのみ依存していることが分かる。Ｋ＝（１／（πσ２）ＮＴ）ｅｘｐ（１／σ２）と置くと、Ｋはレプリカ候補点ｊに依存せず定数であるため、数式７は数式８で表わすことができる。
【数８】
2017090119.tif 000010
ここで、Ｐ（ｒ（ｎ）｜ｓ（ｎ）＝ｓｊ）のｊ＝１〜Ｊの総和はＣとする。但し、Ｃは定数である。この時、以下のように数式９に変形できる。
【数９】
2017090119.tif 000011
【００３２】
従って、定数Ｃで正規化後の事後確率Ｐ’（ｒ（ｎ）｜ｓ（ｎ）＝ｓｊ）を用いることで、数式５で示した制約条件を満たす数式１０が得られる。
【数１０】
2017090119.tif 000012
【００３３】
相互情報量Ｉ（ｎ）は算出した事前エントロピーＨ（ｓ（ｎ））と事後エントロピーＨ（ｓ（ｎ）｜ｒ（ｎ））より、数式１１となる。
【数１１】
2017090119.tif 000013
【００３４】
従って、相互情報量算出部１０８では、入力された各レプリカ候補点ｓｊにおけるユークリッド二乗距離Ｌｊ(ｎ)より数式７を用いて、相互情報量Ｉ(ｎ)を算出することが可能である。相互情報量Ｉ(ｎ)算出の実現方法として、例えば、復号部１０８の入力された各レプリカ候補点ｓｊにおけるユークリッド二乗距離Ｌｊ(ｎ)が与えられた時の相互情報量Ｉ(ｎ)を算出する変換テーブルや底の変換公式により、底をＪからｅとする自然対数に変換し、テーブルを不要とするマクローリン展開を用いた近似計算などが挙げられる。数式１３の相互情報量は瞬時的な値であるため、そのばらつきは大きい。従って、シンボル系列数Ｎ（Ｎは自然数）に対するサンプル平均を取ることでばらつきを抑えた平均相互情報量ＩＥを算出し、マージン算出部１０９に出力する。
【数１２】
2017090119.tif 000014
【００３５】
復調処理の相互情報量入出力特性は、アンテナ相関等の伝送路環境に依存するため、復調処理後の平均相互情報量ＩＥは、受信ＣＮＲなどでは考慮されないアンテナ相関の影響が考慮された値となる。また、相互情報量算出部１０８で算出する平均相互情報量ＩＥは、アンテナ相関に関するパラメータが不要である。
【００３６】
相互情報量は、デインタリーバ入出力後で同値となるため、復調部と復号部間にデインタリーバが接続される場合においても、上記で算出した平均相互情報量ＩＥはシンボル系列数Ｎが十分多ければ、復調部１０７出力のユークリッド二乗距離Ｌｊ(ｎ)の代わりに復号部１０７入力のユークリッド二乗距離Ｌ’ｊ(ｎ)を用いて、平均相互情報量ＩＥを算出しても良い。
【００３７】
マージン算出部１０９では、入力された平均相互情報量ＩＥと計算機シミュレーション等により得られた所要ビット誤り率γ以下を達成する相互情報量ＩＲに基づき、伝送マージンＩＭを数式１３で求める。
ＩＭ＝ＩＥ−ＩＲ      ・・・      （数式１３）
【００３８】
復号処理の相互情報量入出力特性は、伝送路特性や受信ＣＮＲに関わらず、誤り訂正符号化方式のみに従い、一意に決定される。この入出力特性より、復号部１０６の入力相互情報量に対するビット誤り率が算出可能であることは周知の技術であり、図６のようにグラフで描くことが可能である。例えば、送信装置で変調方式１６ＱＡＭを用いる場合、変調方式１６ＱＡＭに応じた所要ビット誤り率γを達成する相互情報量ＩＲは事前に予め算出可能である。従って、各変調方式での相互情報量ＩＲをテーブルとして記憶し、参照することにより、伝送中の変調方式と異なる変調方式の伝送マージンＩＭも算出することが可能である。例えば、図７に示すように、送信装置で設定中の変調方式１６ＱＡＭにおける伝送マージンＩＭ，１と異なる変調方式ＱＰＳＫにおける伝送マージンＩＭ，２を同時に算出可能となる。
【００３９】
数式１３より得られた伝送マージンＩＭを例えば、ディスプレイなどに表示させることで、受信装置を使用するユーザは伝送マージンＩＭを知ることが可能となる。
上記は、相互情報量を用いた伝送マージンＩＭの代表例であり、それに準ずる情報を提供しても良い。例えば、伝送マージンＩＭが“０”に近づいた場合に警報アラームを知らせるなどが挙げられる。
【００４０】
上述の実施例により、復号部１０６の入力であるユークリッド二乗距離Ｌｊより平均相互情報量ＩＥを算出し、得られた平均相互情報量ＩＥに基づき、伝送マージンＩＭを算出することで、アンテナ相関の影響を考慮した適切な伝送マージンを提供することが可能である。
【００４１】
（実施例２）   次に、実施例２について、図３を用いて説明する。
図３は本発明の一実施形態に係る無線通信システムにおける受信装置構成の一例を示す第二のブロック図である。
図１と同一の符号を付した処理部については、第一のブロック図と同一の動作であるため、説明は省略する。第二のブロック図は、他システムからの干渉信号の混入によるビット誤り率の劣化を抑圧するため、被干渉信号の消失訂正部を備えた構成である。以下、実施例１と同様にＯＦＤＭ変調された信号を受信する受信装置を想定して説明を行うが、シングルキャリア変調においても適用可能である。
【００４２】
２個の干渉検出部２００−１，２００−２では、例えば、非特許文献２で開示されているＣＶＩ（Carrier  Variance  Information）を用いて、干渉波が混入しているｌ番目のサブキャリアの受信信号ベクトルｒｌを検出し、２個の消失訂正部２０１−１，２０１−２において、ｒｌの被干渉電力が所定の閾値より大きい場合は消失訂正処理を行う。消失訂正処理とは、データの消失処理を示しており、ｒｌを“０”もしくは“０に近似した値”に変換する。消失訂正後の信号ベクトルｒｄを復調部１０６に出力する。
【００４３】
消失訂正処理を行わない場合、干渉波が混入してしまうことにより、干渉による各レプリカ候補点とのユークリッド二乗距離Ｌｊが変化し、本来のシンボル尤度が低いはずのレプリカ候補点のシンボル尤度が高いと誤認識し、復号結果に悪影響を及ぼしてしまう。そのため、消失訂正により干渉波が混入したサブキャリアにおいて、各レプリカ候補点とのユークリッド二乗距離Ｌｊを等距離に変換処理することで、シンボル尤度が“０”になるため、受信特性が改善することができる。一方で消失訂正処理により、復号部１０６の入力ユークリッド二乗距離Ｌｊが等距離となるサンプルが生じるため、消失訂正処理後の平均相互情報量ＩＥは、干渉波が混入していない時に比べて減少するため、数式１３で算出する伝送マージンＩＭも減少する。
【００４４】
また、消失訂正処理を行わずに算出した伝送マージンをディスプレイに表示し、被干渉信号による相互情報量の劣化量などを確認することも可能である。
図３では、復調部１０６の前に干渉検出部２００−１，２００−２及び消失訂正部２０１−１，２０１−２を備えていたが、復調部１０６の後に備わっていても良い。
上記で説明した第三の実施例により、被干渉信号の消失訂正が施された信号ベクトルｒｄに対して、相互情報量ＩＭを算出することで、被干渉信号による受信レベルの変動が大きい場合においても適切な伝送マージンを設計することが可能となる。
【００４５】
（実施例３）   次に、実施例３について、図４を用いて説明する。
図４は本発明の一実施形態に係る無線通信システムにおける送信装置構成の一例を示す第二のブロック図である。
図１と同一の符号を付した処理部については、第一のブロック図と同一の動作であるため、説明は省略する。第三のブロック図は、ＳＴＴＣ符号化と異なる誤り訂正符号化を施す誤り符号化部を送信装置に備えた構成である。以下、送信アンテナ１本と受信アンテナ１本で構成されるＳＩＳＯ（Single  Input  Single  Output）伝送システムシステムにおいて説明を行うが、受信装置のみが２本以上の複数アンテナを有するＳＩＭＯ（Single  Input  Multiple  Output）伝送システムや送信装置のみが２本以上の複数アンテナを有するＭＩＳＯ（Multiple  Input  Single  Output）伝送システム、送信アンテナと受信アンテナが２本以上の複数アンテナを有するＭＩＭＯ伝送システムにおいても適用可能である。
【００４６】
送信対象となる情報ビット列は、誤り訂正符号化部３００に入力される。誤り訂正符号化部３００では入力された情報ビット列に対して、例えばターボ符号化処理を施して符号化ビットを出力し、変調部１０１−１，１０１−２では入力された符号化ビットに対して、変調処理を施して変調信号を出力し、ＲＦ部１０２−１，１０２−２ではベースバンド信号を搬送波数周波数帯にアップコンバートして、送信アンテナ１０３−１，１０３−２より無線信号を送信する。
【００４７】
図５は本発明の一実施形態に係る無線通信システムにおける受信装置構成の一例を示す第三のブロック図である。
受信装置は、受信アンテナ１０４と、ＲＦ部１０５と、復調部１０６と、復号部１０７を備え、更に、相互情報量算出部１０８と、マージン算出部１０９を備える。
【００４８】
復調部１０６では、実施例１と同様に得られた受信信号を復調処理することで、受信信号とレプリカ（伝送路推定結果から算出した理想受信点）候補点とのユークリッド二乗距離Ｌｊを算出する。得られたユークリッド二乗距離Ｌｊを復号部１０７及び相互情報量算出部１０８へ出力する。相互情報量算出部１０８では、同様に平均相互情報量ＩＥを算出し、マージン算出部１０９へ出力する。マージン算出部１０９では、入力された平均相互情報量ＩＥと計算機シミュレーション等により得られた所要ビット誤り率γ以下を達成する相互情報量ＩＲに基づき、伝送マージンＩＭを求める。
【００４９】
従って、レプリカ候補点とユークリッド二乗距離Ｌｊが得られれば、本発明は後段の処理に依存せずに適応可能である。例えば、受信装置で生成した伝送マージンＩＭを送信装置にフィードバックし、そのフィードバック情報に基づいて、送信装置がＡＭＣを行う無線システムや、伝搬路応答の推定結果より送信信号に各固有モードを実現するための固有ベクトルをウェイトとして施す固有モード伝送システム等が挙げられる。
【００５０】
本発明の実施形態である無線通信システムは、高アンテナ相関環境や狭帯域な干渉信号が混入する環境において、シンボル単位で誤り訂正符号化処理を施す送信装置を持つ無線システムでも適切な変調方式及び符号化率を選択して伝送レートを改善することができる。
【００５１】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００５２】
シンボル単位で誤り訂正符号化処理を施す送信装置を持つ無線通信システムでも適切な変調方式及び符号化率を選択できることによって、伝送レートを改善したい用途に適用できる。
【符号の説明】
【００５３】
１００−１，１００−２：ＳＴＴＣ符号化部、１０１−１，１０１−２：変調部、１０２−１，１０２−２：ＲＦ部、１０３−１，１０３−２：送信アンテナ、１０４−１，１０４−２：受信アンテナ、１０５−１，１０５−２：ＲＦ部、１０６：復調部、１０７：復号部、１０８：相互情報量算出部、１０９：マージン算出部、２００−１，２００−２：干渉検出部、２０１−１，２０１−２：消失訂正部。
【図１】
2017090119.tif 000015
【図２】
2017090119.tif 000016
【図３】
2017090119.tif 000017
【図４】
2017090119.tif 000018
【図５】
2017090119.tif 000019
【図６】
2017090119.tif 000020
【図７】
2017090119.tif 000021
【国際調査報告】
2017090119.tif 000022
2017090119.tif 000023
2017090119.tif 000024
2017090119.tif 000025